(57)【要約】      （修正有）【課題】窓ガラスに太陽光発電パネルを太陽の方向に傾斜して設置することができる太陽光発電パネル設置器具を提供する。【解決手段】窓ガラスに太陽光発電パネル器具を固定するための複数の固着部１と、複数の固着部１を連結する板状の腕部２と、太陽光発電パネルを固定するための台座部３を有し、台座部３は前記腕部２との接続角度を変えられるようにした。【選択図】図１
2020110033.tif 000002
【特許請求の範囲】
【請求項１】
窓ガラスに太陽光発電パネルを太陽の方向に傾斜して設置するための器具であって、窓ガラスに前記器具を固定するための複数の固着部１と、前記複数の固着部１を連結する板状の腕部２と、太陽光発電パネルを窓ガラスの方向に一定の角度で固定するための台座部３を有し、前記台座部３は台座と前記腕部２との接続角度を固定するための台座部固定支持部３１、台座部角度固定突起部３２および太陽光発電パネル保持部３３を含む太陽光発電設置器具。
【請求項２】
前記固着部１は吸盤により窓ガラスに固定する請求項１の設置器具。
【請求項３】
前記台座部３は前記腕部２とヒンジにより接続され、太陽光発電パネル裏面の電源を前記台座部を通過させるため台座の中心部が空いている請求項１の設置器具。
【請求項４】
太陽光発電パネルで発電された電力を蓄電するためのモバイルバッテリを保持するためのバッテリ保持部４を有する請求項１の設置器具。
【請求項５】
太陽に対する南向き仰角および窓の南に対する水平面内の方位角から前記複数の固着部の窓ガラスに対する垂直位置差および前記腕部２と前記台座部３の接続角度を変えるように構成した請求項１の設置器具。
【発明の詳細な説明】
【技術分野】
【０００１】本発明は、太陽光発電パネルを窓ガラスの内側にガラス面に対して傾斜して設置するための器具に関するものである。
【背景技術】
【０００２】太陽光発電パネルを屋根上や地上に集合して設置するための架台、器具は広く知られているが、発電力が１０ワット等の小型の太陽光発電パネルを発電効率の良い南面に向けて窓ガラス等に室内で傾斜設置するための器具は知られていない。
太陽光発電パネルを屋外に設置し、屋内の機器に接続するためには壁に穴を開けて配線をする等の大規模な工事が必要となるが、マンション住宅や賃貸住宅などでは壁への穴開けを実施することが不可能である場合が多い。
このため小規模な太陽光発電を自宅で使用するためには太陽光発電パネルを窓に吊るしたり、床に寝かせて使用せざるを得ない。
【発明の概要】
【発明が解決しようとする課題】
【０００３】  窓ガラスを通した太陽光はガラスによる光吸収、散乱のためエネルギーが減衰しており、適切な角度で受光しない場合、十分な太陽光発電を期待できない、という問題がある。また、室内では窓のカーテン、室内の障害物により適切な太陽光発電パネルの設置場所を確保することができないという問題がある。
【課題を解決するための手段】
【０００４】窓ガラスの室内側に太陽光発電パネルを傾斜設置することにより、太陽光に対する適切な角度を保持するように構成した器具を提供する。
【発明の効果】
【０００５】カーテンや室内の障害物の影響を受けない小規模太陽光発電システムを構成できる。窓ガラスに対して太陽光発電パネルの１辺を平行に設置することでガラス面からの太陽光発電パネルの室内への膨らみを最低限に抑えることができる。
【図面の簡単な説明】
【０００６】
【図１】本器具を正面（窓ガラスに設置する側の面）から見た図である。
【図２】本器具を真横から見た図である。
【図３】本器具に太陽光発電パネルを搭載し、複数の固着部１の垂直位置を同じとして（傾斜角なし）、窓ガラスに固着した状態で太陽の方向に例として台座部３と腕部２の角度を変更した図である。
【図４】本器具に太陽光発電パネルを搭載し、複数の固着部１の垂直位置を異ならせて（傾斜させて）窓ガラスに設置し、さらに腕部２と台座部３の角度を持たせることで、太陽光を最も太陽光発電パネルが受光する方向に窓ガラスに固着させた状態の本機器を室内側から見た図である。
【発明を実施するための形態】
【０００７】図１に本器具の構成を示す。
窓ガラスに太陽光発電パネルを太陽方向に傾斜して設置するための器具であって、窓ガラスに前記器具を固定するための複数の固着部１と、前記複数の固着部１を連結する板状の腕部２と、太陽光発電パネルを固定するための台座部３を有し、前記台座部３は台座と前記腕部２との接続角度を固定するための、台座部固定支持部３１、台座部角度固定突起部３２および太陽光発電パネル保持部３３を含む。
太陽光発電パネルが窓ガラスに当たらないように台座部３に接続する腕部２は、接続角度が０度（太陽光発電パネルが窓ガラスと平面平行）から９０度（太陽光パネルが窓ガラスに対して直角）の間で可変とし、、台座部固定支持部３１、台座部角度固定突起部３２および太陽光発電パネル保持部３３により両者の角度を固定する。
腕部２と固着部１が搭載する太陽光発電パネルに影を落とさないように基本的には固着部１を台座部３より低い位置にして使用する。
固着部１は吸盤を使用してガラス窓に固定する方法の他、固定位置を変更する可能性が低い場合は粘着テープや接着剤を使用して固定することでも良い。
台座部３は太陽光発電パネルを搭載し固定するため、台座と太陽光発電パネル保持部３３を有する。太陽光発電パネル保持部３３は、太陽光発電パネルの押えのためのＬ字の押え溝と把持のためのネジ機構を有する。パネルの把持はばねやゴムを使用した機構、吸盤、粘着テープ、接着剤、ねじ止めなどの公知の固定方法の１つまたは複数の固定機構で構成しても良い。
台座部３と腕部２は太陽光が太陽光発電パネルに効率良く当たるように接続角度の変更を可能とする。台座部３と腕部２はヒンジ（蝶番）のように平面で角度可変とし、ネジ機構や把持機構により両者の角度を固定できるようにする。
このため、前記台座部３は前記腕部２との接続角度を固定するための、台座部固定支持部３１、台座部角度固定突起部３２および太陽光発電パネル保持部３３を含む。この他、台座部３と腕部２の間は円形ボールや、カメラの三脚のような水平方向および垂直方向への回転機構の組み合わせや、フレックスアームなどの公知の方法で台座部３と腕部２の接続角度を水平面および垂直面で可変としても良い。
スマートフォンやカメラ、音楽機器などの小電力の機器は近年ＵＳＢ接続で充電されることが多く、ＵＳＢ充電向けの小型のモバイルバッテリーも多く販売されている。ＵＳＢ向けの５ボルトで発電する太陽光発電パネルは数百グラムで大きさも長辺３０センチ以下程度で軽量、小型である。このため太陽光発電パネルとバッテリを近傍に設置できることが利便性の面で良い。
図１ではオプションでバッテリ保持部４を有する。図４はバッテリ保持部４に充電バッテリを設置し、太陽光発電パネルの電源ポート（ＵＳＢ端子）と充電バッテリをＵＳＢ接続した状態を示している。これにより配線を簡素化できる。
複数の固着部１の垂直面内での角度（垂直面内での位置の差）、台座部３と腕部２の接続角度は、家の位置する緯度に依存する水平線と太陽南中時の仰角と、窓ガラス面に垂直な線と南方向の成す水平角度から適正角度を求めることができる。
例えば東京では１月の太陽最大仰角は約３０度、８月の太陽最大仰角は約８０度、年平均の発電最適仰角は約６０度であるから真南の窓ガラスに対しては、固着部１を水平（垂直方向の角度０度、つまり同じ高さ）とし、台座部３と腕部２の接続角度をこれら最大仰角の角度となるように設定する。さらに緯度（４３度北海道  ３８度仙台、３５度東京、２６度沖縄等）を考慮して垂直方向の角度を決定することもできる。  季節により頻繁にこの角度を変えることは一般的には面倒であるので通年の最適仰角６０度などにすることでもよい。
また、家の建て位置（窓が向く方向）が真南方向でない場合、窓ガラスが真南に対して成す水平面内の角度により固着部の垂直位置を異ならせて（垂直方向に傾斜して）窓ガラスに設置する。例えば家が真南に対して東に４５度傾斜して建設されているとき、日の出から窓に直射日光が射さなくなるまでの時間内で太陽光発電パネルに当たる太陽光を最大化するため垂直方向に台座部を４５度前後（太陽光が当たる側に）傾け、さらに台座部３と腕部２の角度を４５度前後に固定する。同様に家が真南に対して西に４５度傾斜して建設されているときや、東西に３０度、６０度、９０度傾斜しているときなども最適な固着部の垂直位置（２つの固着部が成す垂直方向の角度）と台座部３と腕部２の角度を求めることができる。台座部３の垂直方向の傾斜角を５段階（例えば右上がり７０度、右上がり４５度、０度（水平）、左上がり４５度、左上がり７０度）、台座部３と腕部２の角度を４段階（例えば３０度、４５度、６０度、７５度）とし、窓ガラスが真南に対して成す水平面内の角度および太陽仰角（緯度、季節等）に対応して、台座部１の垂直方向の角度（高さの差異）、台座部３と腕部２の最適位置にそれぞれにマークや突起を付けることができる。
また、例えば円形ボールを使用した回転機構であれば、太陽仰角と窓が向く方向と南からの水平角度に応じた最適位置に円形ボールにマークや突起をつけることで最適な水平および垂直角度で太陽光発電パネルを台座部３に設置することができる
【産業上の利用可能性】
【０００８】本発明は小規模な太陽光発電パネルを室内で使用するための設置器具に関するもので、窓ガラスに太陽光発電パネルを太陽の方向に最適傾斜で設置することができ、アパートや賃貸住宅等に対する小規模太陽光発電パネルの設置を加速させる効果が期待できる。
【符号の説明】１  固着部
２  腕部
３  台座部
３１  台座部固定支持部
３２  台座部角度固定突起部
３３  太陽光発電パネル保持部
４  バッテリ保持部
【図１】
2020110033.tif 000003
【図２】
2020110033.tif 000004
【図３】
2020110033.tif 000005
【図４】
2020110033.tif 000006